(57)【要約】【課題】容器部と蓋部とをヒンジ部とが連結され、安価なシート材で形成可能な包装容器であって、容器部に食品を収納して陳列した際に蓋部が嵩張らず、且つ、食品が適度に見える位置に蓋部を開いて保持することが可能な包装容器を提供する。【解決手段】容器部１０と蓋部２０とがヒンジ部Ｐで連結された包装容器において、容器部１０の側板４，４’の開口側端辺４ａ，４ａ’に傾斜部４ｂ，４ｂ’を設け、蓋部２０の側板２４，２４’の開口側の後板２３側に、開口側端辺２４ａ，２４ａ’から側辺２４ｂ，２４ｂ’に向かう直線状の折り部２４ｄ，２４ｄ’を介して折り曲げることにより、蓋部２０の開口内に突出する折り込み片２４ｃ，２４ｃ’を設け、蓋部２０の後板２３の開口側端辺が、折り込み片２４ｃ，２４ｃ’よりも天板２１側に位置するように構成する。【選択図】図２
2018008731.tif 000002
【特許請求の範囲】
【請求項１】
容器部と蓋部とがヒンジ部を介して開閉自在な包装容器であり、
前記容器部が、底板と、該底板の周囲に配置された前板と後板と左右の側板と、を有し、
前記蓋部が、天板と、該天板の周囲に配置された前板と後板と左右の側板と、を有し、
前記容器部の前記後板の開口側端辺と、前記蓋部の前記後板の開口側端辺とが前記ヒンジ部を構成する包装容器において、
前記容器部の前記側板の開口側端辺が、少なくとも前記後板側において、前記前板側から前記後板側に向かって前記底板側に傾斜する傾斜部を有し、
前記蓋部の前記側板が、開口側の前記後板側に、開口側端辺から側辺に向かう直線状の折り部を介して前記蓋部の開口内に折り曲げ可能な折り込み片を有し、
前記蓋部の前記後板の開口側端辺が、前記折り込み片よりも前記天板側に位置することを特徴とする包装容器。
【請求項２】
前記傾斜部が直線状であって、
前記傾斜部の前記底板に対する角度と、前記折り部の前記天板に対する角度との和が、９０°未満であることを特徴とする包装容器。
【請求項３】
前記傾斜部の前記底板に対する角度と、前記折り部の前記天板に対する角度とが、いずれも６０°未満であることを特徴とする請求項２に記載の包装容器。
【請求項４】
前記傾斜部が直線状であって、
前記傾斜部の前記底板に対する角度と、前記折り部の前記天板に対する角度との和が、３０°乃至６０°であることを特徴とする請求項１に記載の包装容器。
【請求項５】
前記傾斜部の前記底板に対する角度と、前記折り部の前記天板に対する角度とが、それぞれ１０°乃至４０°であることを特徴とする請求項４に記載の包装容器。
【請求項６】
前記傾斜部の前記底板に対する角度が、前記折り部の前記天板に対する角度より小さいことを特徴とする請求項２乃至５のいずれか１項に記載の包装容器。
【請求項７】
前記折り込み片の開口側端辺が、該折り込み片近傍の前記側板の開口側端辺に直線状に連なっていることを特徴とする請求項１乃至６のいずれか１項に記載の包装容器。
【発明の詳細な説明】
【技術分野】
【０００１】
本発明は、食品の包装容器に関する。
【背景技術】
【０００２】
食品の包装容器として、特許文献１に開示されているように、それぞれ深さを有する容器部と蓋部とをヒンジ部を介して連結した、いわゆるクラムシェルカートンと呼ばれる構成が開示されている。係る包装容器は１枚のシート材から形成することができ、安価で、廃棄も容易であることから、ハンバーガーなどの調理済み食品の包装に広く用いられている。
【先行技術文献】
【特許文献】
【０００３】
【特許文献１】特開２００７−２１０６６０号公報
【発明の概要】
【発明が解決しようとする課題】
【０００４】
コンビニエンスストアなどでは、揚げ物や焼き物などの調理済み食品を、ホットウォーマーと呼ばれる陳列ケースに保存し、購入者の希望に応じて包装して販売している。そして、これらの調理済み食品を予め包装容器に収納して、該食品が見える状態で陳列しておき、購入希望に応じて迅速に販売したいという要望がある。
【０００５】
特許文献１に開示された包装容器には、通常、シート材として紙や紙の表面に樹脂をコーティングしたものが用いられるため、蓋部を閉じてしまうと内部の食品が見えなくなってしまう。一方、係る包装容器は、組み立て後に多数個を積み重ねやすいように、蓋部を開放した状態では、ヒンジ部を介して蓋部の開口が容器部の開口から１８０°回動した位置となるように、ヒンジ部の強度が調節されている。そのため、係る包装容器に食品を収納して陳列ケース内に陳列する場合、蓋部が１８０°開いた状態となり、陳列ケース内で蓋部が嵩張り、陳列できる数が限られてしまうという問題がある。
【０００６】
本発明の課題は、容器部と蓋部とをヒンジ部とが連結され、安価なシート材で形成可能な包装容器であって、容器部に食品を収納して陳列した際に蓋部が嵩張らず、且つ、食品が適度に見える位置に蓋部を開いて保持することが可能な包装容器を提供することにある。
【課題を解決するための手段】
【０００７】
本発明は、容器部と蓋部とがヒンジ部を介して開閉自在な包装容器であり、
前記容器部が、底板と、該底板の周囲に配置された前板と後板と左右の側板と、を有し、
前記蓋部が、天板と、該天板の周囲に配置された前板と後板と左右の側板と、を有し、
前記容器部の前記後板の開口側端辺と、前記蓋部の前記後板の開口側端辺とが前記ヒンジ部を構成する包装容器において、
前記容器部の前記側板の開口側端辺が、少なくとも前記後板側において、前記前板側から前記後板側に向かって前記底板側に傾斜する傾斜部を有し、
前記蓋部の前記側板が、開口側の前記後板側に、開口側端辺から側辺に向かう直線状の折り部を介して前記蓋部の開口内に折り曲げ可能な折り込み片を有し、
前記蓋部の前記後板の開口側端辺が、前記折り込み片よりも前記天板側に位置することを特徴とする。
【０００８】
本発明においては、下記の構成を好ましい態様として含む。
（１）前記傾斜部が直線状であって、
前記傾斜部の前記底板に対する角度と、前記折り部の前記天板に対する角度との和が、９０°未満である。
（２）上記（１）において、前記傾斜部の前記底板に対する角度と、前記折り部の前記天板に対する角度とが、いずれも６０°未満である。
（３）前記傾斜部が直線状であって、
前記傾斜部の前記底板に対する角度と、前記折り部の前記天板に対する角度との和が、３０°乃至６０°である。
（４）上記（３）において、前記傾斜部の前記底板に対する角度と、前記折り部の前記天板に対する角度とが、それぞれ１０°乃至４０°である。
（５）上記（１）乃至（４）のいずれかにおいて、前記傾斜部の前記底板に対する角度が、前記折り部の前記天板に対する角度より小さい。
（６）前記折り込み片の開口側端辺が、該折り込み片近傍の前記側板の開口側端辺に直線状に連なっている。
【発明の効果】
【０００９】
本発明によれば、蓋部に設けた折り込み片を内側に折り曲げることにより、該折り込み片が蓋部の開口内に突出し、ヒンジ部を介して蓋部を容器側に回動させた際に、該折り込み片が容器部の開口端の傾斜部に当接し、蓋部の開口と容器部の開口との間に適度な隙間を形成した状態を保持することができる。よって、蓋部を途中まで閉じて内部が見える状態で嵩張らずに陳列することが可能となる。また、係る折り込み片は、蓋部を抑えることで傾斜部に当接した状態から、容器部の側板と蓋部の側板との間に折り込むことができ、蓋部を容易に閉じることができる。
【００１０】
よって、本発明によれば、容器部に収納した食品が見える状態で、嵩張らずに陳列することができ、且つ、瞬時に蓋部を閉じて購入者に提供することができるため、迅速な販売が可能となる。
【図面の簡単な説明】
【００１１】
【図１】本発明の一実施形態の包装容器の展開図である。
【図２】図１の包装容器を示す図であり、（ａ）斜視図、（ｂ）は側面図である。
【図３】図１の包装容器の折り込み片を内側に折り曲げて、蓋部の開口内に突出させた状態を示す図であり、（ａ）は斜視図、（ｂ）は側面図である。
【図４】図１の包装容器の折り込み片を内側に折り曲げて、蓋部の開口内に突出させた状態で蓋部を途中まで閉じた状態を示す図であり、（ａ）は側面図、（ｂ）は（ａ）中のＡ−Ａ’端面図である。
【図５】図１の包装容器の折り込み片を蓋部の側板と容器部の側板の間に折り込んで蓋部を完全に閉じた状態を示す図であり、（ａ）は斜視図、（ｂ）は側面図である。
【発明を実施するための形態】
【００１２】
以下、図面を参照して本発明の実施形態を説明するが、本発明は下記実施形態に限定されない。また、以下に参照する図面において、同じ符号は同様の構成要素を示す。
【００１３】
図１、図２は本発明の好ましい実施形態の包装容器の説明図であり、図１は該包装容器の展開図であり、図２（ａ）は該包装容器の斜視図であり、図２（ｂ）は該包装容器の側面図である。図１中の一点鎖線は谷折りの折り部を示し、破線については後述する。
【００１４】
本発明の包装容器は、図１に示すような切り込みを入れたシート材を折り曲げ、適宜接着して形成することができる。本発明に用いられるシート材としては、後述する折り込み片の折り曲げ、折り込みが容易なように、適度な可撓性を備えた材料であればいずれでもよく、従来用いられている紙、樹脂シート、或いは紙の表面に樹脂をコーティングしたものなどが好ましく用いられる。
【００１５】
本発明の包装容器は、図１，図２に示すように、容器部１０と蓋部２０とがヒンジ部Ｐを介して開閉自在に構成されている。
【００１６】
容器部１０は、底板１の四辺に折り部を介して前板２と、後板３と、一対の側板４，４’とが連接され、蓋部２０は、天板２１の四辺に折り部を介して前板２２と、後板２３と、一対の側板２４，２４’とが連接されている。尚、以下の説明においては、容器部１０の前板２、後板３、側板４，４’については、下前板２、下後板３、下側板４，４’と記し、蓋部２０の前板２２、後板２３、側板２４，２４’については、上前板２２、上後板２３、上側板２４，２４’と記す。
【００１７】
本実施形態において、容器部１０の下前板２には左右に折り部を介して貼着片５，５’が連接されており、該貼着片５，５’がそれぞれ折り部を介して内側に折り曲げられて、下側板４，４’の内側に接着されて、下前板２と下側板４，４’とが一体に固定されている。また、下後板３の左右にも折り部を介して貼着片６，６’が連接されており、該貼着片６，６’がそれぞれ折り部を介して内側に折り曲げられて、下側板４，４’の内側に接着されて、下後板３と下側板４，４’とが一体に固定されている。これにより、下前板２、下後板３、下側板４，４’が容器部１０の側壁を構成している。
【００１８】
また、本実施形態において、蓋部２０の上側板２４，２４’には、それぞれ上前板２２側に折り部を介して貼着片２５，２５’が連接されており、該貼着片２５，２５’がそれぞれ折り部を介して内側に折り曲げられて、上前板２２の内側に接着されて、上前板２２と上側板２４，２４’とが一体に固定されている。また、上後板２３の左右にも折り部を介して貼着片２６，２６’が連接されており、該貼着片２６，２６’がそれぞれ折り部を介して内側に折り曲げられて、上側板２４，２４’の内側に接着されて、上後板２３と上側板２４，２４’とが一体に固定されている。これにより、上前板２２、上後板２３、上側板２４，２４’が蓋部２０の側壁を構成している。
【００１９】
本実施形態においては、下前板２、下後板３、下側板４，４’がいずれも底板１側から開口側に向かって広がっており、容器部１０は底板１から開口側に向かって開口面積が広がっている。また、蓋部２０は、上前板２２、上後板２３、上側板２４，２４’がいずれも天板２１から開口側に向かって広がっており、蓋部２０は天板２１から開口側に向かって開口面積が広がっている。本発明は、このように容器部１０及び蓋部２０は開口側が広がる形態に限定されるものではないが、少なくとも蓋部２０の開口が容器部１０の開口より広いことで、蓋部２０を閉じる際に、容器部１０の開口側が蓋部２０内に挿入されて、蓋部２０を閉じた後に、内部に異物が混入するおそれがなくなる。また、少なくとも蓋部２０については、天板２１から開口側に向かって開口面積が広がっていることで、蓋部２０を閉じる際に、容器部１０の開口側を容易に蓋部２０内に挿入することができる。
【００２０】
本発明においては、容器部１０の下後板３の開口側端辺と、蓋部２０の上後板２３の開口側端辺とが連接してヒンジ部Ｐを構成している。本実施形態においては、上後板２３と下後板３との連接部位に、下後板３と上後板２３とを切り離す切り込み４１が形成されており、係る切り込み４１によって、係る連接部位の強度が弱められている。これにより、蓋部２０は、容器部１０に対して、１８０°開いた状態をとることができ、多数の包装容器を垂直方向に積層することができる。また、ヒンジ部Ｐの強度を調節したことで、容器部１０に対して蓋部２０が回動しやすくなっている。
【００２１】
本発明において、容器部１０の下側板４，４’の開口側端辺４ａ，４ａ’が、少なくとも下後板３側において、下前板２側から下後板３側に向かって、底板１側に傾斜する傾斜部４ｂ，４ｂ’を有している。本実施形態において、傾斜部４ｂ，４ｂ’は直線状である。また、蓋部２０の上側板２４，２４’が、開口側の上後板２３側に、開口側端辺２４ａ，２４ａ’から側辺２４ｂ，２４ｂ’に向かう直線状の折り部２４ｄ，２４ｄ’を介して内側に折り曲げ可能な折り込み片２４ｃ，２４ｃ’を有している。折り込み片２４ｃ，２４ｃ’は、該折り部２４ｄ，２４ｄ’を介して内側に折り曲げることで、蓋部２０の開口内に突出する。さらに、蓋部２０の上後板２３の開口側端辺が、上記折り込み片２４ｃ，２４ｃ’よりも天板２１側に位置している。
【００２２】
本発明の包装容器は、図２（ａ），（ｂ）に示すように、使用前は、容器部１０と蓋部２０とがヒンジ部Ｐを介して１８０°開いた状態となっている。ここで、折り込み片２４ｃ，２４ｃ’を、折り部２４ｄ，２４ｄ’において内側に折り曲げると、図３（ａ）に示すように、折り込み片２４ｃ，２４ｃ’が折り部２４ｄ，２４ｄ’を介して蓋部２０の開口内に突出する。図３（ｂ）は、折り込み片２４ｃ，２４ｃ’を内側に折り曲げた状態の側面図であり、上側面２４及び下側面４側の外側から見た際には、折り込み片２４ｃは観察されなくなる。
【００２３】
図３（ａ），（ｂ）に示したように、折り込み片２４ｃ，２４ｃ’を内側に折り曲げた状態で蓋部２０を容器部１０側に回動させると、図４（ｂ）に示すように、蓋部２０の開口内に突出した折り込み片２４ｃ，２４ｃ’が、容器部１０の下側板４，４’の開口側の傾斜部４ｂ，４ｂ’に当接し、図４（ａ）に示すように、容器部１０の開口と蓋部２０の開口との間に隙間を有する位置で蓋部２０の回動が停止する。よって、本発明の包装容器においては、容器部１０に食品を収納し、折り込み片２４ｃ，２４ｃ’を折り部２４ｄ，２４ｄ’において内側に折り曲げ、該折り込み片２４ｃ，２４ｃ’が容器部１０の傾斜部４ｂ，４ｂ’に当接するまで蓋部２０を回動させれば、容器部１０内の食品が観察される状態で陳列することができる。また、この状態では、蓋部２０が途中まで回動して容器部１０上に配置しているため、図２（ａ），（ｂ）に示した、蓋部２０が完全に開いた状態よりも嵩張らない。尚、図４（ａ）は側面図であり、図４（ｂ）は（ａ）中のＡ−Ａ’端面図であり、（ｂ）中において（ａ）中のＡ−Ａ’端面を実線で示す。
【００２４】
本発明において、蓋部２０を図４（ａ），（ｂ）に示したように、容器部１０内が観察できる状態に保持する上で、図２（ｂ）に示される、傾斜部４ｂ，４ｂ’の底板１に対する角度θ１と、折り込み片２４ｃ，２４ｃ’を折り曲げるための折り部２４ｄ，２４ｄ’の天板２１に対する角度θ２との和、即ち、図４（ａ）に示される、天板２１と底板１とがなす角度θ３は９０°未満が好ましい。θ１とθ２との和、即ちθ３が９０°以上となると、回動させた蓋部２０が再び逆方向に回動して図２（ａ），（ｂ）の状態に戻るおそれがある。
【００２５】
また、本発明において、図２（ｂ）に示される、θ１とθ２とはそれぞれ、６０°未満とすることが好ましい。さらに、本発明において、安定して図４（ａ）の状態を維持する上で、θ１とθ２との和（θ３）は３０°乃至６０°が好ましく、係る範囲において、θ１とθ２とはそれぞれ、１０°乃至４０°であることが好ましい。
【００２６】
また、上記θ１とθ２とは、θ１＜θ２となることが好ましい。θ１＞θ２では、容器部１０の高さが蓋部２０よりも高くなり、多数の包装容器を重ねた際に、不安定になりやすい。また、θ１＞θ２では、折り込み片２４ｃ，２４ｃ’を容器部１０側に延出するか、上前板２２に近い位置から形成しなければならず、折り込み片２４ｃ，２４ｃ’が細長くなって、傾斜部４ｂ，４ｂ’に当接した状態で蓋部２０を支えきれなくなるおそれがある。また、細長い折り込み片２４ｃ，２４ｃ’は、蓋部２０を閉じる際に、上側板２４，２４’と下側板との間に折り込みにくくなるおそれもある。よって、本発明において好ましくは、１０°≦θ１＜θ２≦４０°である。
【００２７】
尚、図１乃至図４の実施形態においては、傾斜部４ｂ，４ｂ’は直線状であるが、本発明においては、傾斜部４ｂ，４ｂ’は直線状に限定されず、凸状、或いは凹状の湾曲した形状や、階段状であっても良い。その場合も、図４（ａ）の状態でθ３が９０°未満となることが望ましい。尚、製造の容易性や、製造精度の点からは、傾斜部４ｂ，４ｂ’は直線状が好ましい。
【００２８】
また、上記実施形態においては、傾斜部４ｂ，４ｂ’は、下側板４，４’の開口端の中央より下後板３側に近づいた位置から、下側板４の下後板３側の側辺に向かって形成されているが、本発明においては、下後板３側の端部が、下後板３側の側辺に達していれば良く、開口端側の端部は、下側板４の開口端の中央より下前板２側であってもよく、下側板４の開口側端辺４ａ，４ａ’が全て傾斜部４ｂ，４ｂ’であっても良い。
【００２９】
また、折り込み片２４ｃ，２４ｃ’は、折り部２４ｄ，２４ｄ’で折り曲げて蓋部２０の開口内に突出した状態で蓋部２０を回動させた際に、容器部１０の傾斜部４ｂ，４ｂ’に当接できるように形成されていればよいが、好ましくは、折り込み片２４ｃ，２４ｃ’の開口側端辺２４ｅ，２４ｅ’が、該折り込み片２４ｃ，２４ｃ’近傍の、上側板２４，２４’の開口側端辺２４ａ，２４ａ’に直線状に連なるように形成する。これによって、図２（ａ），（ｂ）の蓋部２０が開いた状態において、折り込み片２４ｃ，２４ｃ’が上側板２４，２４’より上方に突出しないため、本発明の包装容器を複数積み重ねる際や、取り扱いの際に、不用意に該折り込み片２４ｃ，２４ｃ’が折れ曲がってしまうのを防止することができる。
【００３０】
本発明の包装容器においては、上記したように、容器部１０内が観察でき、且つ蓋部２０が容器部１０の上方に停止した図４（ａ）の状態を保持することができるが、この状態で蓋部２０の天板２１を容器部１０側に抑えることにより、傾斜部４ｂ，４ｂ’に当接していた折り込み片２４ｃ，２４ｃ’が折り部２４ｄ，２４ｄ’を介してさらに折り曲げられ、上側板２４，２４’と下側板４，４’との間に折り込まれることで、図５（ａ），（ｂ）に示すように、蓋部２０が容器部１０の開口を完全に覆って、蓋部２０を閉じることができる。尚、図５において、（ａ）は斜視図、（ｂ）は側面図である。
【００３１】
本発明においては、折り込み片２４ｃ，２４ｃ’を折り曲げるための折り部２４ｄ，２４ｄ’は、ミシン目状に切り込みを入れたり、ハーフカットを施したりして、容易に折り曲げられるようにしておくことが好ましい。
【００３２】
また、本実施形態においては、図１に示すように、蓋部２０の天板２１と上後板２３とにわたる直線状で平行な２本の切り込み４２，４２’が形成されている。これは、蓋部２０を完全に閉じた後に、内部の食品から発生する蒸気を外部に排除するための通気口を形成するためのもので、切り込み４２，４２’の両端部を結ぶ折り部４３ａ，４３ａ’を谷折りし、切り込み４２，４２’の長さ方向の中央を結ぶ折り部４３ｂを山折りすることで、矩形の通気口を形成することができる。
【００３３】
また、本実施形態においては、容器部１０の下側板４，４’の下前板２側の側辺の開口側に、外側に突出する係止片４ｃ，４ｃ’が設けられ、蓋部２０の上側板２４，２４’の上前板２２側に連接された貼着片２５，２５’に、上前板２２の左右の側辺から外側に突出する係止片２５ａ，２５ａ’が設けられている。係る構成により、蓋部２０を完全に閉じた際には、図５（ａ）に示すように、係止片２５ａ，２５ａ’が、係止片４ｃ，４ｃ’の下方に係止され、蓋部２０が自然に開かないように、固定される。尚、係止片２５ａ，２５ａ’，４ｃ，４ｃ’はいずれも容易に変形するため、上前板２２に設けた凹部２２ａに指をかけて引き上げるだけで、係る係止が容易に解除されて、蓋部２０を開くことができる。
【００３４】
本発明の包装容器は、上記したように、容器部１０に収納した食品が見える状態で、且つ、蓋部２０が嵩張らない状態で、陳列することができるが、折り込み片２４ｃ，２４ｃ’を折り曲げずに蓋部２０を閉じれば、従来の包装容器と同様に用いることもできる。よって、本発明の包装容器は容器部に収納した食品が見える状態で陳列して販売する形態に限らず、広く食品の包装容器として用いることができる。
【００３５】
また、本発明の包装容器は、食品の調理現場において容器部１０に食品を収納し、折り込み片２４ｃ，２４ｃ’を折り曲げずに蓋部２０を閉じた状態で店舗に搬送し、店舗において蓋部２０を開き、折り込まれていた折り込み片２４ｃ，２４ｃ’を９０°立ち上げて蓋部２０の開口内に突出させ、食品が見える状態にして陳列することもできる。
【符号の説明】
【００３６】
１：底板、２：下前板、３：下後板、４，４’：下側板、４ａ，４ａ’：下側板の開口側端辺、４ｂ，４ｂ’：斜辺部、４ｃ，４ｃ’：係止片、５，５’，６，６’：貼着片、１０：容器部、２０：蓋部、２１：天板、２２：上前板、２３：上後板、２４，２４’：上側板、２４ａ，２４ａ’：上側板の開口側端辺、２４ｂ，２４ｂ’：上側板の側辺、２４ｃ，２４ｃ’：折り込み片、２４ｄ，２４ｄ’：折り部、２４ｅ，２４ｅ’：折り込み片の開口側端辺、２５，２５’，２６，２６’：貼着片、２５ａ，２５ａ’：係止片、４１，４２，４２’：切り込み、４３ａ，４３ａ’，４３ｂ：折り部、Ｐ：ヒンジ部
【図１】
2018008731.tif 000003
【図２】
2018008731.tif 000004
【図３】
2018008731.tif 000005
【図４】
2018008731.tif 000006
【図５】
2018008731.tif 000007